(57)【要約】 【課題】  定振幅信号の場合に連続的な電力範囲で出力電力を制御でき、非定振幅信号の場合に高効率の線形増幅ができる線形電力増幅器を提供する。【解決手段】  線形電力増幅器が、当該線形電力増幅器の入力信号の振幅を調整するＮ（Ｎは２以上の整数）個の並列的な振幅調整器；各振幅調整器からの信号をそれぞれ増幅する少なくともＮ個の電力増幅ユニット；電力増幅ユニットからの各信号を合成し、当該線形電力増幅器の出力信号として出力する電力合成器；出力信号の振幅が入力信号の振幅に対して実質的に連続的な関数になるように、Ｎ個の電力増幅ユニットから動作すべき電力増幅ユニットを選択して動作させ、かつ振幅調整器を制御する制御器；から構成される。【選択図】  図１
2005057703.tif 000002
【特許請求の範囲】
【請求項１】
線形電力増幅器であって：
当該線形電力増幅器の入力信号の振幅を調整するＮ（Ｎは２以上の整数）個の並列的な振幅調整器；
各前記振幅調整器からの信号をそれぞれ増幅する少なくともＮ個の電力増幅ユニット；
前記電力増幅ユニットからの各信号を合成し、当該線形電力増幅器の出力信号として出力する電力合成器；
前記出力信号の振幅が前記入力信号の振幅に対して実質的に連続的な関数になるように、前記Ｎ個の電力増幅ユニットから動作すべき電力増幅ユニットを選択して動作させ、かつ前記振幅調整器を制御する制御器；
から構成される線形電力増幅器。
【請求項２】
請求項１に記載の線形電力増幅器であって： 
前記制御器は、前記入力信号の振幅に応じて、前記電力増幅ユニットを選択し、かつ前記振幅調整器を制御することを特徴とする線形電力増幅器。
【請求項３】
請求項１又は２に記載の線形電力増幅器であって：
前記制御器は、前記出力信号の振幅と前記入力信号の振幅が線形関係になるように、前記Ｎ個の電力増幅ユニットから動作すべき電力増幅ユニットを選択して動作させ、かつ前記振幅調整器を制御することを特徴とする線形電力増幅器。
【請求項４】
請求項１乃至３のいずれかに記載の線形電力増幅器であって：
前記Ｎ個の電力増幅ユニットの各々の最大出力電力が実質的に等しくされることを特徴とする線形電力増幅器。
【請求項５】
請求項４に記載の線形電力増幅器であって：
前記制御器は、電力が（r-1）PsからrPs（Psは前記電力増幅ユニットの最大出力電力、rは１からＮまでの整数）までの範囲内にある前記出力信号を出力させる場合において、前記Ｎ個の電力増幅ユニットのうちr個の電力増幅ユニットを動作させ、かつこれらの動作する電力増幅ユニットに対応する前記振幅調整器を制御することにより、これらの動作する電力増幅ユニットのそれぞれを［（r-1）/r］PsからPsまでの範囲で同様の電力を出力させることを特徴とする線形電力増幅器。
【請求項６】
請求項１乃至３のいずれかに記載の線形電力増幅器であって：
前記Ｎ個の電力増幅ユニットにおいて、i （i=2,...,N）番目の前記電力増幅ユニットの最大出力電力は（i-1）番目の前記電力増幅ユニットの最大出力電力の２倍であることを特徴とする線形電力増幅器。
【請求項７】
請求項６に記載の線形電力増幅器であって：
前記制御器は、電力が（r-1）PsからrPs（Psは前記１番目の電力増幅ユニットの最大出力電力、rは１から（2N-1）までの整数）までの範囲にある前記出力信号を出力させる場合において、rをＮ桁の２進数で表したときにこの２進数において１になる各桁の番号（但しそのLSBを１桁目、MSBをＮ桁目とする)に対応する前記電力増幅ユニットを動作させ、かつこれらの動作する電力増幅ユニットに対応する前記振幅調整器を制御することにより、これらの動作する電力増幅ユニットのそれぞれを［（r-1）/r］2（i-1）Psから2（i-1）Ps （iは動作する前記電力増幅ユニットの番号）までの範囲で電力を出力させることを特徴とする線形電力増幅器。
【請求項８】
請求項１乃至７のいずれかに記載の線形電力増幅器であって：
前記制御器は、前記振幅調整器を制御することによりさらに出力信号の電力制御を行うことを特徴とする線形電力増幅器。
【請求項９】
請求項１乃至８のいずれかに記載の線形電力増幅器であって：
前記入力信号は電力制御用振幅調整器を通して前記各振幅調整器へ供給されることを特徴とする線形電力増幅器。
【発明の詳細な説明】
【技術分野】
【０００１】
本発明は、線形電力増幅器に関し、特に連続的な電力範囲で出力電力を制御できる線形電力増幅器に関し、またそのような線形電力増幅器を用いた無線送信機に関する。
【背景技術】
【０００２】
従来、高効率の増幅を行うために複数個の電力増幅ユニットを並列に用いて線形電力増幅器を構成する技術が知られている（非特許文献1）。
【０００３】
図５に線形電力増幅器の基本構成の従来例を示す。この従来の線形電力増幅器は複数のF級増幅回路によって構成されている。各F級増幅回路は、電界効果トランジスタ（Filed
Effect Transistor, FETともいう）と、FETのドレインに接続されるλ／4伝送線と、キャパシターCと、同調回路と、負荷と、電圧Vddからの直流電源をFETに接続するためのRFチョークコイル（RFCともいう）と、FETに必要な信号入力レベルを供給するドライバーとから構成されている。各F級増幅回路のλ／4伝送線を出力側で結線することにより、送信出力信号は複数のF級増幅回路からの出力信号の合成となる。
【０００４】
また、ドライバーの出力をオフにすることにより対応するF級増幅回路の動作を停止させることができる。
【０００５】
各F級増幅回路は、一般的に図６に示すような入出力電力特性（入出力特性ともいう）、及び電源効率（すなわち出力信号の電力と電源の供給する直流電力との比、以下、単に効率という。）対入力電力特性を有する。出力電力が飽和出力電力Ps付近（或いは入力電力が飽和入力電力付近)にあるときには、高い効率が得られるが、入出力特性は強い非線形性となってしまう。また、入出力電力の小さい領域では、入出力特性は良い線形性を示すが、効率が著しく低下してしまう。
【０００６】
図５に示した従来の構成は、主に定振幅（振幅一定）の送信入力信号の増幅に用いられるため、入出力特性の非線形性があってもそれほど問題とならない。そのため、各F級増幅回路を飽和出力の状態で動作させることにより、高効率を得ることができる。図５の従来の構成では、動作するF級増幅回路の数を制御することにより複数の送信出力信号の電力レベルを得ることができる。すなわち送信電力制御を行うことができる。なお、異なる送信電力レベルにおいても高効率である。
【０００７】
また、無線送信機の送信周波数変化による合成出力信号の相互変調歪みの悪化を防止するために、並置トランジスタ電力増幅器の前段の可変減衰器の減衰量を制御して、２つのトランジスタ電力増幅回路の動作状態に大きな差異が生じないようにした従来技術も知られている（特許文献１）。
【非特許文献１】Alireza Shirvani, David K. Su, and Bruce A. Wooley,"A CMOS RFPower Amplifier With Parallel Amplificationfor Efficient Power Control, "IEEE JOURNAL OF SOLID-STATE CIRCUITS. VOL.37,NO.6,JUNE 2002.
【特許文献１】特開２００１−２３７６５１号公報
【発明の開示】
【発明が解決しようとする課題】
【０００８】
図５に示した従来の構成では、定振幅信号の高効率増幅及び送信電力制御には好適である。しかしながら、定振幅信号の場合の送信電力制御は電力レベルが離散的であって、連続的な出力電力レベルが得られないという問題があった。
【０００９】
また、この従来の構成を用いて非定振幅信号（振幅非一定信号）の電力増幅を行う場合には、各F級増幅回路の強い非線形性によって送信出力信号において大きな歪が発生してしまうという問題もあった。
【００１０】
さらに、非定振幅信号の送信出力信号の電力制御（すなわちその平均電力の制御）を行う場合でも、得られる平均電力レベルは離散的であって、連続的な平均電力レベルが得られないという問題があった。
【００１１】
そこで、本発明は、以上の点に鑑みてなされたもので、定振幅信号の場合には連続的な電力範囲で出力電力を制御でき、一方、非定振幅信号の場合には高効率の線形増幅ができる線形電力増幅器を提供することを目的とし、また、連続的な電力範囲で平均出力電力を制御できる線形電力増幅器を提供することを目的とする。
【課題を解決するための手段】
【００１２】
上記の目的を達成するための本発明の一特徴に従った、線形電力増幅器は、当該線形電力増幅器の入力信号の振幅を調整するＮ（Ｎは２以上の整数）個の並列的な振幅調整器；各振幅調整器からの信号をそれぞれ増幅する少なくともＮ個の電力増幅ユニット；電力増幅ユニットからの各信号を合成し、当該線形電力増幅器の出力信号として出力する電力合成器；出力信号の振幅が入力信号の振幅に対して実質的に連続的な関数になるように、Ｎ個の電力増幅ユニットから動作すべき電力増幅ユニットを選択して動作させ、かつ振幅調整器を制御する制御器；から構成される。
【００１３】
制御器は、入力信号の振幅に応じて、電力増幅ユニットを選択し、かつ振幅調整器を制御することができる。
【００１４】
制御器は、出力信号の振幅と入力信号の振幅が線形関係になるように、Ｎ個の電力増幅ユニットから動作すべき電力増幅ユニットを選択して動作させ、かつ振幅調整器を制御することができる。
【００１５】
Ｎ個の電力増幅ユニットの各々の最大出力電力が実質的に等しくされてもよい。
【００１６】
制御器は、電力が（r-1）PsからrPs（Psは電力増幅ユニットの最大出力電力、rは１からＮまでの整数）までの範囲内にある出力信号を出力させる場合において、Ｎ個の電力増幅ユニットのうちr個の電力増幅ユニットを動作させ、かつこれらの動作する電力増幅ユニットに対応する振幅調整器を制御することにより、これらの動作する電力増幅ユニットのそれぞれを［（r-1）/r］PsからPsまでの範囲で同様の電力を出力させることもできる。
【００１７】
Ｎ個の電力増幅ユニットにおいて、i （i=2,...,N）番目の電力増幅ユニットの最大出力電力は（i-1）番目の電力増幅ユニットの最大出力電力の２倍にしてもよい。
【００１８】
制御器は、電力が（r-1）PsからrPs（Psは１番目の電力増幅ユニットの最大出力電力、rは１から（2N-1）までの整数）までの範囲にある出力信号を出力させる場合において、rをＮ桁の２進数で表したときにこの２進数において１になる各桁の番号（但しそのLSBを１桁目、MSBをＮ桁目とする)に対応する電力増幅ユニットを動作させ、かつこれらの動作する電力増幅ユニットに対応する振幅調整器を制御することにより、これらの動作する電力増幅ユニットのそれぞれを［（r-1）/r］2（i-1）Psから2（i-1）Ps （iは動作する電力増幅ユニットの番号）までの範囲で電力を出力させてもよい。
【００１９】
制御器は、振幅調整器を制御することによりさらに出力信号の電力制御を行ってもよい。
【００２０】
入力信号は電力制御用振幅調整器を通して各振幅調整器へ供給するようにしてもよい。
【発明の効果】
【００２１】
本発明に従った線形電力増幅器によれば、出力電力を入力電力に対して連続的な関数とすることができ、その結果、定振幅信号の送信電力制御を連続的な電力範囲でかつ高効率で行うことができる。
【００２２】
また、各電力増幅ユニットの入出力特性の非線形を補償して等価線形増幅器を構成し、かつ入力信号の瞬時電力に応じて等価線形増幅器を組み合わせることによって、線形かつ高効率の電力増幅器を構成することができる。それにより、非定振幅の送信入力信号に対しても、高効率かつ線形的な増幅を達成できる。さらに、N個の電力増幅ユニットを用いた場合において、Nを大きくすることにより、高効率でかつ増幅可能入出力電力レンジを拡大することもできる。この特徴は、ピーク対平均電力の大きな非定振幅信号を増幅する場合に特に有利である。さらに、この場合に、入力信号の平均電力を調整することにより出力信号の平均電力を連続的に制御することができる。
【発明を実施するための最良の形態】
【００２３】
本発明は、特に無線通信送信機内の線形電力増幅器に適用可能であるが、これに限られず、他の用途の線形電力増幅器にも適用可能である。
【実施例１】
【００２４】
図１に本発明の実施例１に従った線形電力増幅器１を示す。線形電力増幅器１は、Ｎ（Ｎは２以上の整数）個の電力増幅ユニット１２，Ｎ個の振幅調整器１３，電力合成器１４，制御器１５から構成されている。本実施例において、送信入力信号１０の電力が各振幅調整器１３により調整され、調整後の電力が各電力増幅ユニット１２に供給される。制御器１５は、各振幅調整器１３の電力調整係数を制御し、かつ、電力増幅ユニット１２のオン／オフの制御を行う。電力合成器１４は、動作している（すなわちオンになっている）各電力増幅ユニット１２からの出力信号をほぼ電力和となるように合成して、送信出力信号１１として出力する。
【００２５】
電力増幅ユニット１２は、例えばFET等の増幅素子を用いた増幅回路であってよい。その入出力特性及び効率特性は、一般的に図６に示したF級増幅器の特性と類似している。電力増幅ユニット１２の飽和出力電力をPsとすれば、出力がその飽和電力Psに近いほど高効率となる。
【００２６】
制御器１５は、マイクロプロセッサを含む回路であってよく、送信入力信号１０からの情報をもとに、他の回路素子を制御することができる。
【００２７】
振幅調整器１３は、公知のいかなる調整器であってよく、制御器１５からの制御信号に応答して、送信入力信号の振幅を調整する。
【００２８】
制御器１５は、送信出力信号１１の振幅が送信入力信号１０の振幅に対して連続関数となるように、Ｎ個の電力増幅ユニット１２のオン/オフ制御、及び振幅調整器１３の電力調整係数を制御する。この制御について、一般性を失うことなくＮ＝２の場合において図７を参照して説明する。
【００２９】
図７に示すグラフにおいて、曲線a, bはそれぞれ、電力増幅ユニット１２-１及び１２-２の入出力特性を表す。送信入力信号１０の電力と所望の送信出力信号１１の電力との関係を例えば曲線cとする。この場合、２個の電力増幅ユニット１２-１及び１２-２の飽和出力電力をそれぞれPs1,
Ps2（Ps1＜Ps2）とし、それぞれに対応する入力電力をPa, Pbとし、かつ送信入力信号１０の電力をxとする。
【００３０】
予め定めた入力電力レベルP1,
P2及びP3に関して、送信入力信号電力xがx≦P1の範囲にある場合には、電力増幅ユニット１２-１のみが選択される。そして振幅調整器１３-１の電力調整係数を調整することによって、xが0〜P1まで変化するときに電力増幅ユニット１２-１への入力が0〜Paまで変化するようにする。これにより、電力増幅器１２-１が0〜Ps1までの電力を出力することになる。
【００３１】
次に、送信入力信号電力xがP1＜x≦P2の範囲にある場合には、電力増幅ユニット１２-２のみが選択される。そして振幅調整器１３-２の電力調整係数を調整することによって、xがP1〜P2まで変化するときに電力増幅ユニット１２-２の出力がPs1〜Ps2の電力を出力するように調整する。
【００３２】
さらに、送信入力信号電力xがP2＜x≦P3の範囲にある場合には、電力増幅ユニット１２-１と１２-２がともに選択され、振幅調整器１３-１と１３-２をともに調整することによって、xがP2〜P3まで変化するときに電力増幅器１２-１と１２-２の出力電力の和がPs2〜Ps1+Ps2になるように調整する。
【００３３】
これにより、送信出力信号１１の電力が0から（Ps1+Ps2）の範囲において、図７の曲線で示すように連続的な入出力特性が得られる。なお、送信入力信号電力xがP1以上の範囲において、電力増幅ユニット１２-１及び１２-２のそれぞれを飽和出力電力に近い領域内で動作させることが可能であるため、高効率を得ることが可能である。
【００３４】
一般的に、図１に示す本実施例の構成では、出力電力が0からΣPsi （Psiは各電力増幅ユニット１２-iの飽和出力電力）までの範囲で連続的な入出力特性を実現することができる。また、送信入力信号電力xがPs1（仮にPs1＜Psi, i=2, 3,...,N）以上の電力の範囲で高効率を得ることが可能である。なお、入出力電力特性が連続関数になる場合、入出力振幅特性も連続関数になる。
【実施例２】
【００３５】
図２に本発明の実施例２に従った線形電力増幅器２を示す。線形電力増幅器２は線形電力増幅器１と類似するが、線形電力増幅器２においては、振幅調整器１３と電力増幅ユニット１２との間に、電力増幅ユニット１２の非線形性を補償するためのプリディストータ（Pre-distorter,
PDともいう）１６が挿入されている。各PD１６と各電力増幅ユニット１２はＮ個の等価線形増幅器１７を形成する。各等価線形増幅器１７は等しい利得値Gを有する。図８に各等価線形増幅器１７の入出力特性（曲線a）及びその基礎となる電力増幅ユニット１２の入出力特性（曲線b）を示す。電力増幅ユニット１２の飽和出力電力をPsとすれば、等価線形増幅器１７は0〜Psまでの出力範囲で直線的な入出力特性を持つことができる。また、等価線形増幅器１７の効率は、特定の出力電力（例えば図８におけるP0）において、電力増幅ユニット１２の効率に等しい。このため、等価線形増幅器１７の効率は、出力がその最大出力電力Psに近いほど高効率となる。
【００３６】
制御器１５は、Ｎ個の電力増幅ユニット１２のオン／オフ制御（すなわち等価増幅器１７のオン／オフ制御）をし、かつ振幅調整器１３の電力調整係数を適切に制御する。この制御について、一般性を失うことなくＮ＝２の場合において図９を参照して説明する。
【００３７】
２個の等価線形増幅器１７-１及び１７-２の最大出力電力をPs1,
Ps2（Ps1 <Ps2）とし、送信入力信号１０の電力をxがx≦（Ps1/G）の範囲にある場合には、等価線形増幅器１７-１のみが選択される。そして振幅調整器１３-１の電力調整係数を１に設定する。これにより送信出力信号１１の電力はGxとなる。
【００３８】
次に、送信入力信号電力xが（Ps1/G）＜x≦（Ps2/G）の範囲にある場合には、等価線形増幅器１７-２のみが選択される。そして振幅調整器１３-２の電力調整係数を１に設定する。このときの送信出力信号１１の電力もGxとなる。
【００３９】
さらに、送信入力信号電力xが（Ps2/G）＜x≦［（Ps1+Ps2）/G］の範囲にある場合には、等価線形増幅器１７-１と１７-２がともに選択されて動作し、振幅調整器１３-１，１３-２の電力調整係数をそれぞれPs1/（Ps1+Ps2）、Ps2/（Ps1+Ps2）に設定する。その結果、送信出力信号１１の電力はG［Ps1/（Ps1+Ps2）］x+G［Ps2/（Ps1+Ps2）］x=Gxとなる。従って、送信出力信号１１が0から（Ps1+Ps2）の範囲において線形的な入出力特性が保たれる。なお送信入力信号電力xがPs1/G以上になる場合において、等価線形増幅器１７-１及び１７-２はそれぞれの最大出力電力に近い領域内で動作するため高効率である。
【００４０】
一般的に、図２に示す本実施例の構成では、出力電力が0からΣPsi （Psiは各等価線形増幅器１７-iの飽和出力電力）までの範囲で連続的な入出力特性を実現することができる。また、送信入力信号電力xがPs1/G（仮にPs1＜Psi, i=2, 3,...,N）以上の電力の範囲で高効率を得ることが可能である。
【００４１】
一方、送信入力信号１０が非定振幅信号である場合、制御器１５は、送信入力信号１０の瞬時電力に応じて上記のように等価線形増幅器１７の選択と振幅制御器１３の制御を行うことにより、線形増幅を達成することができる.
【実施例３】
【００４２】
図３に本発明の実施例３に従った線形電力増幅器３を示す。線形電力増幅器３は線形増幅器２と類似するが、線形増幅器３においては、電力増幅ユニット１２の非線形性を補償するためのPD１６の機能が振幅調整器１３により実行される点で異なる。本実施例での振幅調整器１３の電力調整量は、電力増幅ユニット１２の非線形性を補償した等価線形増幅器１９を構成するようにするための第１調整量と、送信入力信号１０の電力を等価線形増幅器１９の入力範囲内に調整するための第２調整量の２部分からなる。
【００４３】
各振幅調整器１３は先ず、利得がG、最大出力がPsの等価線形増幅器１９が形成されているとし、図２に示した実施例２と同様の方法で第２調整量を設定する。この第２調整量により調整された後の送信入力信号１０の電力を図１０においてx1とする。次にx1に対応する所望の出力電力１１はGx1であるため、調整器１３は電力増幅ユニット１２がGx1を出力するように、x1をさらにx2に調整する。振幅調整器１３のトータルの電力調整量は第１調整量と第２調整量との積となる。
【実施例４】
【００４４】
図２または図３に示す構成において、各等価線形増幅器１７，１９の最大出力電力を等しく設定することもできる。この場合において、制御器１５は、以下の通りに電力増幅ユニット１２及び振幅調整器１３を制御することができる。すなわち、各等価線形増幅器１７、１９の最大出力電力をPsとし、rを1からNまでの整数とする。送信入力信号１０の電力xが［（r-1）Ps/G］＜x≦（rPs/G）にあるときに、r個の電力増幅ユニット１２を選択し、それぞれに対応する振幅調整器１３の電力制御係数を1/rに設定する。これにより、各々の動作する等価線形増幅器１７，１９がG（1/r）xの電力を出力するため、送信出力信号１１の電力はGxとなる。
【００４５】
なお上記のxの範囲において、各々の動作する等価線形増幅器１７、１９の出力電力は［Ps（r-1）/r］からPsの範囲にある。r=1の場合以外（すなわちxがPs/G以上）では、各々の動作する等価線形増幅器１７，１９は最大出力電力に近い領域内で動作するため高効率である。この高効率で増幅できる入出力電力の範囲は10log（N）（dB）である。
【実施例５】
【００４６】
図２または図３に示す構成において、各等価線形増幅器１７，１９のi（i=1, 2,...,N）番目の最大出力電力を２（i-1）Psに設定することができる。この場合において、制御器15は、以下の通りに電力増幅ユニット１２及び振幅調整器１３を制御することができる。すなわち、rを1から（2N−１）までの整数とすると、送信入力信号１０の電力xが［（r-1）Ps/G］＜x≦（rPs/G）にあるときに、rをN桁の２進数で表し、この２進数において１になる各桁の番号（但しそのLSBは１桁目、MSBはＮ桁目とする）に対応する等価線形増幅器１７，１９を動作させる。そしてi番目の動作する等価線形増幅器１７，１９に対応する振幅調整器１３の電力調整係数を2（i-1）/rに設定する。これにより、i番目の動作する等価線形増幅器１７、１９はG［2（i-1）/r］xの電力を出力し、送信出力信号１１の電力はΣ｛G［2（i-1）/r］x｝  （iは動作する等価線形増幅器の番号）であり、Σ２（i-1）= rであるから、送信出力信号１１の電力は結果としてGxとなる。
【００４７】
なお、上記xの範囲において各々の動作する等価線形増幅器１７，１９の出力電力は、［Ps（r-1）/r］からPsの範囲内にある。r=1の場合以外（すなわちxがPs/G以上）では、各々の動作する等価線形増幅器１７、１９は最大出力電力に近い領域内で動作するため高効率である。この高効率で増幅できる入出力電力の範囲は10log（2N-1）（dB）である。
【実施例６】
【００４８】
前述の実施例のいずれかにおいて、制御器１５は、所望の送信出力信号１１の平均電力に基づき振幅調整器１３に対して電力調整量αを設定することができる。すなわち、制御器１５は、前述の実施例で示した送信入力信号１０の瞬時電力に応じて設定した電力調整係数と、電力調整量αとの積を各振幅調整器１３に与えることができる。電力調整量αは、所望の送信出力信号１１の平均電力に応じて設定することができる。本実施例を、前述の実施例に適用した場合には、定振幅信号に対して、連続的な電力範囲での送信電力制御を行うことができる。また、本実施例を実施例２乃至５に適用した場合には、非定振幅信号に対して、連続的な電力範囲での送信電力制御を行うことができる。
【実施例７】
【００４９】
図４に本発明の実施例７に従った線形電力増幅器４を示す。線形電力増幅器４は図１に示した線形電力増幅器１と類似するが、線形電力増幅器４においては、送信入力信号１０が送信電力制御用振幅調整器１８を介して各振幅調整器１３へ供給される点が特徴である。制御器１５は、所望の送信出力信号１１の平均電力に応じて送信電力制御用振幅調整器１８に一定の電力調整量αを設定することができる。
【００５０】
なお、図４では図３の構成において送信電力制御用振幅調整器１８を設けた例を示しているが、図１又は図２に示す実施例の構成においても送信電力制御用振幅調整器１８を設けることができる。
【００５１】
なお、請求項１、２は実施例１に対応し、請求項３は実施例３に対応し、請求項４、５は実施例４に対応する。また、請求項６，７は実施例５に対応し、請求項８は実施例６に対応し、請求項９は実施例７に対応する。
【産業上の利用可能性】
【００５２】
本発明に従った、線形電力増幅器は、例えば移動電話システムの基地局や移動局内の送信機に用いることができ、多種多様な線形電力増幅を必要とする技術分野において利用することができる。
【図面の簡単な説明】
【００５３】
【図１】本発明の実施例１に従った線形電力増幅器のブロック図である。
【図２】本発明の実施例２に従った線形電力増幅器のブロック図である。
【図３】本発明の実施例３に従った線形電力増幅器のブロック図である。
【図４】本発明の実施例７に従った線形電力増幅器のブロック図である。
【図５】従来例の線形電力増幅器のブロック図である。
【図６】Ｆ級増幅回路の入出力電力特性を示すグラフである。
【図７】本発明の実施例１の線形電力増幅器の入出力電力特性を示すグラフである。
【図８】本発明の実施例２の線形電力増幅器の入出力電力特性を示すグラフである。
【図９】本発明の実施例２の等価線形増幅器の入出力電力特性を示すグラフである。
【図１０】本発明の実施例３の振幅調整器による電力増幅ユニットの非線形性を補償する方法を説明するための図である。
【符号の説明】
【００５４】
1, 2,
3, 4    線形電力増幅器
10          送信入力信号
11          送信出力信号
12          電力増幅ユニット
13          振幅調整器
14          電力合成器
15          制御器
16          プリディストータ
17, 19      等価線形増幅器
18          送信電力制御用振幅調整器
【図１】
2005057703.tif 000003
【図２】
2005057703.tif 000004
【図３】
2005057703.tif 000005
【図４】
2005057703.tif 000006
【図５】
2005057703.tif 000007
【図６】
2005057703.tif 000008
【図７】
2005057703.tif 000009
【図８】
2005057703.tif 000010
【図９】
2005057703.tif 000011
【図１０】
2005057703.tif 000012